(57)【要約】【課題】  コンセント体のプラグ差込口とアース接続部とを、カバー体によって覆うとともに、カバー体の閉状態から開状態へと回動させて、プラグ差込口およびアース接続部を露出させるコンセント装置を提供する。【解決手段】  コンセント体のプラグ差込口を開口から露出させて、斜め下方からプラグを抜き差し可能にコンセント体を支持するとともに、下方に延出する延出部を有する設置面取付用のボディと、延出部に設けられ前面からアース線を接続操作可能なアース接続部と、を備える本体と、アース接続部よりも下方で回動自在に軸支され、プラグ差込口とアース接続部とを覆うカバー体と、からなるコンセント装置であり、カバー体は、閉位置と開位置との間で回動可能に設けられ、本体にカバー体の係止部が係止して閉状態が維持されるとともに、閉位置へ向けて付勢されることなく垂れ下がって開状態が維持される。【選択図】図７
2015118755.tif 000002
【特許請求の範囲】
【請求項１】
コンセント体のプラグ差込口を開口から露出させて、下方からプラグを抜き差し可能にコンセント体を支持するとともに、前記コンセント体よりも下方に延出する延出部を有する設置面取付用のボディと、前記延出部に設けられ前面からアース線を接続操作可能なアース接続部と、を備える本体と、
前記本体における前記アース接続部よりも下方で回動自在に軸支され、前記コンセント体における少なくともプラグ差込口と、前記延出部の前面側における少なくともアース接続部と、を覆うカバー体と、からなり、
前記カバー体は、前記プラグ差込口およびアース接続部を覆う閉位置と、前記プラグ差込口および前記アース接続部を露出させて、前記コンセント体へのプラグの差し込み操作および前記アース接続部へのアース線の接続操作を可能とする開位置と、の間で回動可能に設けられ、前記本体の被係止部にカバー体に設けられた係止部が係止して閉状態が維持されるとともに、開位置へと回動した後は、垂れ下がって開状態が維持されることを特徴とするコンセント装置。
【請求項２】
前記開位置における前記カバー体の少なくとも一部が回動軸心よりも背面側に位置するように、前記回動軸心が、前記延出部の下端、且つ、設置面から離れた位置に形成されていることを特徴とする請求項１に記載のコンセント装置。
【請求項３】
前記カバー体は、前記コンセント体にプラグを差し込む差し込み経路の外側にその全体が位置するまで開くことを特徴とする請求項１または請求項２に記載のコンセント装置。
【請求項４】
前記カバー体は、延出部の前面全体を覆うとともに、前記コンセント体におけるプラグ差込口が形成された面を露出させる開口の略全体を塞ぐように形成されていることを特徴とする請求項１から請求項３のいずれかに記載のコンセント装置。
【請求項５】
前記延出部には、前方へと立設する対向した一対の側壁が設けられ、前記カバー体は前記側壁間を覆うことを特徴とする請求項１から請求項４のいずれかに記載のコンセント装置。
【請求項６】
前記本体の前面側には、前記コンセント体のプラグ差込口の配置位置を示す位置表示部が設けられている請求項１から請求項５のいずれかに記載のコンセント装置。
【発明の詳細な説明】
【技術分野】
【０００１】
本発明は、建物の外壁等の設置面に設置されるコンセント装置に関するものである。
【背景技術】
【０００２】
例えば、特許文献１には、屋外の壁面に設置される防水コンセントが開示されている。この防水コンセントは、ハウジングの前方へ膨出した膨出部内にコンセント本体が収納されて、膨出部の下面にコンセント本体の差込口が露出されている。また、ハウジングの下部前面の一端部にねじ式のアースターミナル（アース接続部）が設けられている。そして、コンセント本体の差込口を覆う雨避けのための庇が取り付けられており、雨水が差込口にかかるのを防いでいる。
【０００３】
しかし、上記庇は、コンセント本体の差込口のみを覆うものであり、ハウジングの下部前面に設けられたアースターミナルはむき出しのままであり、雨水によって錆が発生する等の問題があった。
【０００４】
一方、特許文献２には、アース接続部を覆うものではないが、盗電防止装置として、屋外コンセントに盗電防止カバーを設ける技術が開示されている。これによれば、電源プラグが差し込まれてなくても、差し込まれた使用時であっても、コンセント本体の下方を覆うことができる。しかし、盗電防止カバーは、ねじ止めによる着脱方式であり、特殊ねじを採用することで、盗電しにくくなる利点があるが、利用者は、いちいちねじを外してカバーを取り外し、電源プラグを差し込み、カバーを取り付けてまたねじ止めしてカバーを固定する作業や、電源プラグを外す際に、ねじを外してカバーを取り外し、プラグを抜いてからカバーを取り付けてねじ止めするといった作業が必要となり、手間であり、カバーやねじを紛失するおそれがあった。
【０００５】
また、盗電防止カバーを蝶番のようなヒンジ手段により回動可能に軸支する例が開示されているが、カバーを上方に回動させる軸支では、電源プラグの差し込み時に手でカバーが下がらないように押さえておく必要があった。特に、屋外コンセントのような比較的建物の低いところに設置されるものにおいては、電源プラグ差込口を覗き込みながら電源プラグを差し込む必要があり、手でカバーを押さえながら屈み込んで電源プラグを差し込むことは非常にやりにくかった。さらには、盗電防止カバーを開いた際に、電源コードを引き出す切り欠き部が形成された下面が、電源プラグの差し込み経路に張り出しており、差し込みの邪魔であった。
【０００６】
さらには、特許文献３や特許文献４のように、アース接続部がコンセント本体の下方に有さないか、アース接続部がコンセント本体に設けられている防水コンセントであって、コンセント本体よりも下方の前面側の全体を覆うカバーを備えたものが開示されている。これによれば、特許文献１のようにコンセント本体の下方にアース接続部を設けたとしても、雨水がかかることを防止できる点や、特許文献２のようにカバーを紛失するおそれがない点において工夫されている。
【０００７】
しかし、特許文献３や特許文献４は、カバー体がボディに沿って上方に回動するため、カバー体とボディの形状を相似形状とする等の工夫が必要であり、デザインの制約を受ける問題があり、特に特許文献４においては、ケース体の内部にカバー体が入り込む構成あるため、ケース体を大型化する必要があった。
【０００８】
さらには、特許文献２から特許文献４は、カバー体にかかる雨水とともに降り注ぐ黄砂等の粉塵がカバー体の開閉機構内に入り込むことがあり、円滑な開閉動操作ができなくなるおそれがある。また、開位置まで移動させたカバー体が自身の重さで閉位置に移動しないように、手で押さえながら（手で開位置を維持しながら）電源プラグを接続する必要があった。特に、コンセント本体の差込口が斜め下方に開口しているため、電源プラグの差し込み作業の際に覗き込む必要があり、カバー体を押さえながらの接続作業は煩わしく、電源プラグ接続後にも、カバー体が開状態を維持させる必要があるが、重力や外力により下方に閉じてしまい、電源プラグやケーブルを挟んでしまう問題があった。
【０００９】
また、特許文献２や特許文献３のように、使用時にカバー体を閉じた状態として、電源プラグやケーブルを挟み込まないように逃がす切り欠き部や挿通孔をカバー体に設けておくと、非使用時に切り欠き部や挿通孔から粉塵や虫がカバー体の内部に入り込む問題があり、粉塵や虫による汚れ、例えば虫が巣を作る等により、使用時に清掃する必要があった。
【先行技術文献】
【特許文献】
【００１０】
【特許文献１】特開２００６−２４４７１９号公報
【特許文献２】特開２００５−２５９４１１号公報
【特許文献３】特開２０１０−５５８３６号公報
【特許文献４】特開２０１２−８４３７３号公報
【発明の概要】
【発明が解決しようとする課題】
【００１１】
本発明は、上記従来の問題に鑑みてなされたものであって、その目的は、コンセント体の差込口およびコンセント体の下方に設けられたアース接続部をともに覆うカバー体を設けるとともに、該カバー体の開作業を簡単に行えるようにすることを課題にしている。
【課題を解決するための手段】
【００１２】
上記課題を解決するために、請求項１に記載の発明は、コンセント体のプラグ差込口を開口から露出させて、下方からプラグを抜き差し可能にコンセント体を支持するとともに、前記コンセント体よりも下方に延出する延出部を有する設置面取付用のボディと、前記延出部に設けられ前面からアース線を接続操作可能なアース接続部と、を備える本体と、前記本体における前記アース接続部よりも下方で回動自在に軸支され、前記コンセント体における少なくともプラグ差込口と、前記延出部の前面側における少なくともアース接続部と、を覆うカバー体と、からなり、前記カバー体は、前記プラグ差込口およびアース接続部を覆う閉位置と、前記プラグ差込口および前記アース接続部を露出させて、前記コンセント体へのプラグの差し込み操作および前記アース接続部へのアース線の接続操作を可能とする開位置と、の間で回動可能に設けられ、前記本体の被係止部にカバー体に設けられた係止部が係止して閉状態が維持されるとともに、開位置へと回動した後は、垂れ下がって開状態が維持されるコンセント装置であることを要旨とする。
【００１３】
請求項２に記載の発明は、請求項１に記載のコンセント装置において、前記開位置における前記カバー体の少なくとも一部が回動軸心よりも背面側に位置するように、前記回動軸心が、前記延出部の下端、且つ、設置面から離れた位置に形成されていることを要旨としている。
【００１４】
請求項３に記載の発明は、請求項１または請求項２に記載のコンセント装置において、前記カバー体は、前記コンセント体にプラグを差し込む差し込み経路の外側にその全体が位置するまで開くことを要旨としている。
【００１５】
請求項４に記載の発明は、請求項１から請求項３のいずれかに記載のコンセント装置において、前記カバー体は、延出部の前面全体を覆うとともに、前記コンセント体におけるプラグ差込口が形成された面を露出させる開口の略全体を塞ぐように形成されていることを要旨としている。
【００１６】
請求項５に記載の発明は、請求項１から請求項４のいずれかに記載のコンセント装置において、前記延出部には、前方へと立設する対向した一対の側壁が設けられ、前記カバー体は前記側壁間を覆うことを要旨としている。
【００１７】
請求項６に記載の発明は、請求項１から請求項５のいずれかに記載のコンセント装置において、前記本体の前面側には、前記コンセント体のプラグ差込口の配置位置を示す位置表示部が設けられていることを要旨としている。
【発明の効果】
【００１８】
コンセント体のプラグ差込口とアース接続部とを、カバー体によって覆うことができるとともに、カバー体の閉状態から開状態へと回動させることで、プラグ差込口およびアース接続部を露出させられる。
【図面の簡単な説明】
【００１９】
【図１】コンセント装置１の分解斜視図である。
【図２】カバー体の背面側から見た斜視図である。
【図３】カバー体を閉状態としたコンセント装置１であって、（ａ）はその正面図、（ｂ）はその右側面図である。
【図４】（ａ）、（ｂ）はともに、カバー体を閉状態としたコンセント装置１の斜視図である。
【図５】図３におけるＡ−Ａ線による断面図である。
【図６】カバー体を開状態としたコンセント装置１であって、（ａ）はその正面図、（ｂ）はその右側面図、（ｃ）はその底面図である。
【図７】カバー体を開状態としたコンセント装置１の斜視図である。
【図８】図６におけるＢ−Ｂ線による断面図である。
【図９】他の実施形態のカバー体を備えたコンセント装置を示す斜視図である。
【図１０】図９に示すコンセント装置のカバー体を閉状態とした断面図である。
【図１１】図９に示すコンセント装置のカバー体を開状態とした断面図である。
【発明を実施するための形態】
【００２０】
以下、この発明にかかるコンセント装置を実施するための形態を図面に基づいて説明する。図１〜図８は、本発明の一実施の形態を示す。図中符号１は、建物の壁等の構造物に取り付けられるコンセント装置であって、主に建物の外壁等に設置されて電源を供給するものであり、建物の外壁等の垂直な設置面に固定ビス等の固着具により固定される設置面取付用のボディ２とアース接続部１２とを備える本体１１と、前記ボディ２の下方側の前方を覆うカバー体３と、からなる。なお、図中符号５はボディに支持されたコンセント体であり、断面図においてはその内部機構を省略して図示している。
【００２１】
ボディ２は、設置面Ｗに取り付けられた状態で、コンセントプラグを斜め下方から差し込み可能な向きにコンセント体５のプラグ差込口５１が形成された面を開口２６から露出させるようにしてコンセント体５を内部に収容支持している。開口２６の前方端縁は、コンセント体５のプラグ差込口５１が形成された面よりもさらに斜め下方に延長されて庇２５が形成され、庇２５の裏側にはカバー体の係止部が係止する被係止部２３が設けられている。また、ボディ２の前面側にコンセント体５のプラグ差込口５１の位置を示す位置表示部２８が、プラグ差込口５１の鉛直上方に合致した位置に刻印されている。また、ボディ２の開口２６より下方であってコンセント体５よりも下方には、設置面に沿うように下方に延びる延出部２１が形成されている。そして、ボディ２の上方側と延出部２１の下方側にはそれぞれ固着具が挿通される固定孔２４が形成されている。
【００２２】
さらに、ボディ２は、設置する設置面側となるボディ背面側に設置面Ｗに当接する当接面４２を備えた基部４を有している。この基部４は、ボディ２の全体形状と略同一の外郭形状に形成され、コンセント体５に接続される電線を背面側から挿通する貫通部４１が設けられているとともに、ボディ２に形成された固定孔２４と対応する位置に固着具が挿通される挿通孔４４が設けられている。また、ボディ側と反対側である当接面側は、外周形状が一回り小さく形成され、設置面Ｗに固定された後にシーリング剤を充填する充填空間４３を構成できるようになっている。そのため、充填したシーリング剤が外方から視認しにくくなり、見栄えを良くできる。
【００２３】
また、延出部２１には、固定孔２４の側方にアース線を接続するためのアース接続部１２が設けられている。このアース接続部１２は、ボディの背面側でコンセント体から延長された接地極端子１２ｂと、接地極端子１２ｂとアース線とを電気的に接続するアースピン１２ａとからなる。また、延出部２１の両側には、コンセント体側から延出部の下端にかけて弧状をなす対向した一対の側壁２９が立設し、庇２５や延出部２１の前面とともにコンセント体５を露出させる開口２６を取り囲んでいる。また、庇２５、延出部２１の前面と一対の側壁２９とで開口を形成しているとも言える。
【００２４】
コンセントプラグは、一対の栓刃と、一つの接地用栓刃を一体に備え一度に両方を電気的に接続できるものと、一対の栓刃と、アース接続部に接続するためのアース線とが別に形成されてそれぞれ電気的に接続する作業が必要なものの２種類が一般的である。本形態においては、コンセント体５は、一対の栓刃と一つの接地用栓刃を一体に備えたプラグに対応したプラグ差込口５１が２つ並んで開口２６から露出しているが、アース線が別に形成されているコンセントプラグにも対応できるように、延出部２１にアース線接続部１２が用意されている。
【００２５】
カバー体３は、ボディ２の下方側であって、アース接続部１２より下方に軸部材６によって軸支されている。詳細には、ボディ２に形成された延出部２１の最下端から突出形成された軸受け２７に受けられた軸部材６に回動自在に軸支されており、軸支された箇所を回動軸として、プラグ差込口５１およびアース接続部１２を覆う閉位置と、プラグ差込口５１およびアース接続部１２を露出させる開位置との間で回動可能となっている。閉位置において下方側から上方側にむけて延出部２１と対面する対面壁３１と、対面壁３１の両側端から延出部２１の側壁２９に向けて延びる側部壁３２と、からなり、対面壁３１は、ボディの開口２６より上方の弧状部分と対応した略同一円周上を構成するように弧状に形成され、側面視において、ボディ２の開口２６より上方から連続するような円弧状を構成する。そして対面壁３１の上端縁には、ボディ２の被係止部２３と係止する係止部３３が突出形成されており、閉位置へと回動することで係止部３３が弾性変形して被係止部２３と係止するように構成されている。対面壁３１と側部壁３２により、閉状態において、一対の側壁２９の間を覆っており、延出部２１の前面とカバー体３の裏面との間には空間が形成されている。また、閉状態において、延出部の前面全体および前記コンセント体におけるプラグ差込口が形成された面を露出させる開口の全体を塞ぐように覆っている。
【００２６】
また、対面壁３１の上方には凹設された指掛け空間３４が形成され、指掛け空間３４の下面には指を掛け易くするための凸状部３４ａが複数設けられている。指掛け空間３４の下方には、対面壁３１の表面が直接設置面Ｗに当接して傷付くのを最小限とするために、開状態で設置面に先に当接する一対の当接突部３５が設けられている。
【００２７】
カバー体３は、軸支された箇所を回動軸として開位置まで回動可能となっている（開位置まで回動させた状態を示す図６、図７参照）。カバー体３の指掛け空間３４に指を差し入れて下方に押圧することで、係合が解除され、カバー体３を回動させることができる。このとき、係合を解除した押圧力で、または／および、カバー体３の自重で、カバー体が開位置まで回動し、自重により垂れ下がって開状態が維持される。開位置から閉位置へ回動させるには、カバー体３を手で上方に回動させ、さらに強く押し込んで被係止部２３に係止部３３を係止させて閉状態を維持させる。すなわち、開状態においては、自重により垂れ下がったままで閉位置へ向けて付勢されることなく（閉位置へと回動する力がカバー体にかからず）、閉位置へと回動させるには人の操作が必要である。そのためカバー体３には閉位置へと回動しようとする付勢力が発生せず、開状態が維持されるため、コンセント体５へのプラグの差し込み作業に専念できるとともに、コンセント体に接続したプラグをカバー体が押してしまってプラグが抜けてしまうという不具合も生じない。特に、屋外に設置される防水コンセントは、比較的低い位置に設けられており、プラグを差し込むにあたって、プラグ差込口の位置を確認するために屈んで覗き込む必要があるが、カバー体を開位置まで回動させた後も、目視で確認しながらプラグを差し込むまでの間、ずっとカバー体を開状態に維持し続けるといった手間がなくなる。
【００２８】
カバー体３をいったん開位置まで回動させることで、カバー体３が覆っていたコンセント体５のプラグ差込口５１およびアース接続部１２が露出される。そして、カバー体３は、自重により設置面に沿うように垂れ下がって開状態が維持される（閉位置へ向けて付勢されることなく垂れ下がって開状態が維持される）ため、アース線が別に形成されたコンセントプラグを接続する際にも、カバー体３を押し開き続けることなく、コンセントプラグの差し込み操作、および、アース線の接続操作に専念することができる。また、差し込んだプラグによって開位置に維持させる必要がなく、閉位置へと回動する付勢力によってプラグが抜けるおそれもない。
【００２９】
本形態によれば、延出部２１に両側壁２９を形成したことにより、開状態において、カバー体３の側部壁３２が手前側に突出する高さを低く抑えられ、斜め下方の手前側には、広い空間が形成されて、コンセントプラグの差し込み操作やアース接続部への接続作業スペースを大きく確保できる。また、軸支した箇所が壁から離れているため、角度の異なる（平行でない）2面を覆っているカバー体３は開状態において、その全体を設置面Ｗ側に寄せることができ、カバー体３の手前側に広いスペースを確保できる。
【００３０】
特に、図８に図示する矢印Ｘ方向（コンセント体５のプラグ差込口へのプラグ差し込み方向）に向かうコンセント体５にプラグを差し込む差し込み経路の手前側に、プラグ差込口へのプラグの差し込み操作及びアース接続部へのアース線接続操作を行う操作空間が大きく形成されている。さらには、図８に図示した範囲Ｙ（プラグの差し込み方向にプラグ差込口が形成された面を投影する範囲）にカバー体３が入り込まないように、その範囲の外側であって、コンセント体５にプラグを差し込む差し込み経路の外側となる位置までカバー体３が開くため、広い操作空間を確保できている。
【００３１】
また、本形態によれば、延出部２１の下方に軸支させたので、ボディ２のコンセント本体５を露出させる開口２６よりも上方のボディ２の形状は自由にデザインできる。また、カバー体３の閉状態で、ボディ２の前面から略同一面を形成するように、カバー体３の対面壁３１が連続する弧状となっており、見栄えが良い。
【００３２】
また、本形態によれば、本体１１とカバー体３の係合を解除するのみで、カバー体３の自重によって回動するため、開位置まで手で移動させる必要がない。もちろん、係合を解除する作業の流れでそのまま開位置まで移動させても、あるいは、開位置へ向けて押圧しても良い。勢い良く回動させて開いても、当接突部３５が設置面に先に当接するため、対面壁３１が傷付きにくい。
【００３３】
さらには、本形態によれば、コンセント体５のプラグ差込口５１の配置位置を示す位置表示部２８がボディ２の前面側であって開口２６近傍に設けられている。そのため深く屈んでプラグ差込口５１を目視しながら接続作業をする必要がない。本形態においては、コンセント体５は、差し込んだプラグを回動させることで抜け止め状態にロックする機構を備えており、位置表示部の表示形態は、差し込んだプラグの回動軸心５１ｃの鉛直線上に合致した位置に位置表示部２８が示すプラグの回動軸心２８ｃが配置されている例である（図６（ａ）、（ｃ）参照）。なお、栓刃の位置を直接示すようにプラグ差込口（５１ａや５１ｂ）の鉛直線上に位置表示部を配置しても良い。
【００３４】
続いて、他の実施形態を図９から図１１を参照して説明する。本実施形態においては、前述した実施形態と本体１１が共通し、カバー体３の形態が異なる。すなわち、延出部２１の前面と、該前面と交差するように配置されたプラグ差込口５１が形成されたコンセント本体５の一面と、からなる被覆い面は角度の異なる２面に沿うように形成されているのに対して、カバー体３の対面壁３１は、屈曲しており、アース接続部１２に対応する延出部側覆い面３１ｂと、コンセント体に沿うように覆うコンセント体側覆い面３１ａとを備えている。この場合であっても、延出部２１に設けられた一対の側壁２９の間をカバー体３の正面壁３１が覆っているとともに、回動軸が設置面Ｗから離れているため、屈曲した箇所をより設置面Ｗに寄せることができて、大きなスペースを確保し、コンセントプラグやアース線の差し込み、接続作業がやりやすい。この形態であっても、延出部側覆い面３１ｂが延出部の前面全体を覆うとともに、前記コンセント体におけるプラグ差込口が形成された面を露出させる開口の略全体をコンセント体側覆い面３１ａが覆い、１つのカバー体３によって両者を覆っている。
【００３５】
また、カバー体３に、延出壁２１に向けて延びる側部壁が省略されており、開位置において、カバー体３から手前側に突出するものが存在せずに、広い作業スペースを確保できている。特に図１１に図示する矢印Ｘ方向（コンセント体５のプラグ差込口へのプラグ差し込み方向）に向かうコンセント体５にプラグを差し込む差し込み経路の手前側に、プラグ差込口へのプラグの差し込み操作及びアース接続部へのアース線接続操作を行う操作空間が大きく形成されている。さらには、図１１に図示した範囲Ｙ（プラグの差し込み方向にプラグ差込口が形成された面を投影する範囲）にカバー体３が入り込まないように、その範囲の外側であって、コンセント体５にプラグを差し込む差し込み経路の外側となる位置までカバー体３が開くため、広い操作空間を確保できている。
【００３６】
なお、上記各実施形態は以下のように変更しても良い。
○ボディの延出部から立設する両側壁を省略し、カバー体から延出部の前面に到達する（あるいは前面を越える位置まで）延びるように両側部壁を延長あるいは形成しても良い。
○少なくともアース接続部およびプラグ差込口を覆えば、延出部の前面の全体やプラグ差込口が形成されたコンセント体の一面の全体を覆わない形状にしても良い。望ましくは、延出部の前面の略全体と、コンセント体の前記一面の略全体を覆うように形成することが良い。
○ボデイの下端に軸受け部を一体に設けてカバー体を軸支させたが、別体の軸受け部をボディや設置面に固定して、カバー体を開閉動自在に軸支させても良い。
【００３７】
○被係止部および係止部は、前面側（庇の中央）に設けられているが、側方（延出部に設けられた一対の側壁）にあっても良い。
○下方に押圧することで解除される係止形態に限らず、どのような手段で係止および係止の解除手段を構成しても良い。
○指掛け空間は無くても良い。指掛け空間を凹設せずに外部に突出する指掛け部としても良い（例えば図９の符号３４ｂのような形態であっても良い）。
【００３８】
○壁に直接固定された例だが、設置面に固定した配線ボックスを介して設置面としての壁に間接的に固定されても良い。この場合、カバー体の回動軸心は壁からより離れた位置に配置でき、カバー体をより大きく開くことができる。
○カバー体は透視可能な材料で形成しても良い。
○庇はボディとは別体の透視可能な材料で成形して、ボディに一体に組みつけても良い。
○コンセント体のプラグ差込口は、接地用栓刃の差込口を備えないものであっても良い。また、プラグの差し込み方向は斜め下方からでなく、鉛直下方から抜き差し可能にコンセント体が支持されていても良い。
○プラグ差込口の配置位置を示す位置表示部の表示形態は前述した実施形態に限らず、配意位置の範囲を示すもの等の他の表示形態に変更しても良く、また、設けなくても良い。
【符号の説明】
【００３９】
１・・・コンセント装置、２・・・ボディ、２１・・・延出部、１２・・・アース接続部、１２ａ・・・アースピン、２３・・・被係止部、２６・・・開口、２８・・・位置表示部、２９・・・側壁、３・・・カバー体、３３・・・係止部、５・・・コンセント体、５１・・・プラグ差込口
【図１】
2015118755.tif 000003
【図２】
2015118755.tif 000004
【図３】
2015118755.tif 000005
【図４】
2015118755.tif 000006
【図５】
2015118755.tif 000007
【図６】
2015118755.tif 000008
【図７】
2015118755.tif 000009
【図８】
2015118755.tif 000010
【図９】
2015118755.tif 000011
【図１０】
2015118755.tif 000012
【図１１】
2015118755.tif 000013